(57)【特許請求の範囲】
【請求項１】
前面にレンズを有するレンズフレームと、このレンズフレームの側部に取り付けられたバックルと、このバックルに長さ調節可能に掛け回されるヘッドストラップとを備える水中マスクにおいて、
前記バックルは、前記ストラップが掛け回される軸部を有するベース部材と、このベース部材に取り付けられ、前記ストラップに長さ調節可能に係合するアジャスター部材とを備え、
前記ベース部材は、前記ストラップの長さ方向と直交する方向に前記軸部を有し、前記長さ方向における一端部からその反対側の他端部に向かって前記アジャスター部材が抜脱可能に挿入されており、
前記アジャスター部材は、前記ベース部材に離脱可能に固定される取付け部と、前記軸部に掛け回されている前記ストラップに弾性変形下に前記軸部の径方向から圧接可能であって、前記取付け部から前記軸部へ向かって延びるバネ部とを有し、前記アジャスター部材の前記取付け部が、前記ストラップとほぼ同じ幅であって、板状の第１挟持部とこの第１挟持部に離間平行する第２挟持部とを有し、これら両挟持部間に前記ベース部材の一部が嵌合しており、前記バネ部が前記取付け部の幅方向の両側部分から延びていることを特徴とする水中マスク。
【請求項２】
前記第１挟持部と前記第２挟持部との間に嵌合する前記ベース部材の前記一部が板状部であり、この板状部のほぼ中央部に受け部が設けられ、前記水中マスクの前記レンズフレームの側部には突起部が設けられ、前記受け部と前記突起部とを嵌合離脱させることで前記ベース部材が前記レンズフレームに着脱自在とされ、
前記ベース部材が前記アジャスター部材を挿入する空間部を前記板状部と共に画成する相対向する側板を有し、この両側板にほぼ平行でかつ対向する前記受け部の外壁面との間隙が前記第２挟持部及び前記バネ部を収容する溝とされている請求項１に記載の水中マスク。
【発明の詳細な説明】
【０００１】
【発明の属する技術分野】
本発明は水中マスクに関し、更に詳細には例えば水中マスクを顔に装着するヘッドストラップ（バンド）をレンズフレームの側部に長さ調整可能に取り付けるバックルに関する。
【０００２】
【従来の技術】
従来、例えばスイミングゴーグル等において、これを顔に装着するヘッドストラップをレンズフレームの側部に長さ調節可能に取り付けるバックルは、実公平７−４０４８号公報及び特開昭６１−５０５７３号公報などに開示されており、既によく知られている。これらの実用新案公報や特許公開公報に開示された従来のバックルは、ゴーグルの本体枠部における両側部に支承体が形成され、この支承体に形成された通し口にストラップを通して延長方向を反転させ、この支承体に調整体を旋回可能に支持して構成されていた。
【０００３】
この調整体は、通し口を介して延長方向を反転するストラップに接触する係止片を備え、調整体には、この係止片が常時ストラップの表面に接触するようなバネ力がそれ自身の弾性力或いはコイルスプリングなどの別部品を用いて付与されている。この調整体を支承体へ旋回可能に取り付る手段としては、調整体の両側部から突出した短い軸部又は突起部を、調整体を支承体に組み立てる際にこの軸部を対応する支承体の部位に形成されている小さな凹部に嵌め込んでいた。
【０００４】
このように構成されていた従来のバックルによると、調整体は、支承体に対し両側の突起部を支点としてバネ力により旋回力が付与され、これにより通し口を通過して反転するストラップの表面に係止片が圧接してストラップ表面に形成されている突出部に係止し、その結果ストラップの緩みを防止していた。強制的にストラップを緩ませる場合には、調整体に形成されている把持片を掴み、係止片がストラップの表面から離れるようにバネ力に抗して調整体を撓ませ、ストラップを通し口から引き抜く方向に引っ張る。
【０００５】
【発明が解決しようとする課題】
しかしながら、従来のこの種のバックルでは、調整体がその両側部に形成された軸部や突起部を支承体の凹部に嵌め込んで旋回可能に組み立てられるため、組み立て作業が面倒で、時には軸部や突起部を破損して取り付け不能になることもあった。
【０００６】
具体的に言うと、支承体に調整体を装着するための取付け溝幅は、調整体の幅とほぼ同じであるため、調整体の両側部に突出している軸部を支承体の対応部位に形成されている凹部に嵌め込む際に、調整体を弾性的に変形させ又は支承体の取付け溝幅を弾性的に広げるかして取付け溝に押し込む必要があった。その際、調整体や支承体の変形程度が不足すると、調整体の両側部から突出している軸部が、支承体の取付け溝を画成している両側壁面に強くこすれて双方に傷を付けたり、或いは突起部が調整体の両側壁縁部にぶつかって軸部を破損させたりすることが起こる。
【０００７】
実公平７−４０４８号公報に開示された装置では、調整体の突起部周辺が調整体の幅方向内側へ弾性変形し得るように調整体に２条の切込みが設けられている。この場合には、突起部に傷を付ける問題が解消されても、ストラップに圧接させるアンチレバー型バネ部は、ストラップに圧接する部分の幅がストラップと同じように広くても基端部分の幅が狭いから、ストラップの幅全体に一様な強さで圧接することが難しい。このような調整体を支承体に装着する組み立て作業は、非常に面倒で手間が掛かり、熟練を必要とした。
【０００８】
本発明の目的は、かかる従来の問題点を解決するためになされたもので、アジャスター部材をベース部材に対して一方向からスライドさせて組み付けることができ、アジャスター部材の弾性変形で係止部をストラップの表面に圧接させるバックルを備えた水中マスクを提供することにある。
【０００９】
【課題を解決するための手段】
本発明は水中マスクに関し、前述した技術的課題を解決するために以下のように構成されている。すなわち、本発明は、前面にレンズを有するレンズフレームと、このレンズフレームの側部に取り付けられたバックルと、このバックルに長さ調節可能に掛け回されるヘッドストラップとを備える水中マスクにおいて、
前記バックルは、前記ストラップが掛け回される軸部を有するベース部材と、このベース部材に取り付けられ、前記ストラップに長さ調節可能に係合するアジャスター部材とを備え、前記ベース部材は、前記ストラップの長さ方向と直交する方向に前記軸部を有し、前記長さ方向における一端部からその反対側の他端部に向かって前記アジャスター部材が抜脱可能に挿入されており、前記アジャスター部材は、前記ベース部材に離脱可能に固定される取付け部と、前記軸部に掛け回されている前記ストラップに弾性変形下に前記軸部の径方向から圧接可能であって、前記取付け部から前記軸部へ向かって延びるバネ部とを有し、前記アジャスター部材の前記取付け部が、前記ストラップとほぼ同じ幅であって、板状の第１挟持部とこの第１挟持部に離間平行する第２挟持部とを有し、これら両挟持部間に前記ベース部材の一部が嵌合しており、前記バネ部が前記取付け部の幅方向の両側部分から延びていることを特徴とする。
【００１０】
本発明の水中マスクは、前述した特徴を有するが、更に以下のような特徴も備えている。すなわち、本発明の水中マスクでは、第１挟持部と第２挟持部との間に嵌合するベース部材の一部が板状部であり、この板状部のほぼ中央部に受け部が設けられ、水中マスクのレンズフレームの側部には突起部が設けられ、受け部と突起部とを嵌合離脱させることでベース部材がレンズフレームに着脱自在とされ、ベース部材が、アジャスター部材を挿入する空間部を板状部と共に画成する相対向する側板を有し、この両側板にほぼ平行でかつ対向する受け部の外壁面との間隙が第２挟持部及びバネ部を収容する溝とされていることを特徴とする。
【００１１】
【発明の実施の形態】
以下、本発明の水中マスクを図に示される実施形態について更に詳細に説明する。図１には本発明の水中マスク３０が示されている。この水中マスク３０は、前面にレンズ３７を有するレンズフレーム３１と、このレンズフレーム３１の側部に取り付けられたバックル１０と、このバックル１０に長さ調節可能に掛け回されたヘッドストラップ３５とを備えている。
【００１２】
水中マスク３０におけるレンズフレーム３１の側部に取り付けられたバックル１０は、ベース部材１１とアジャスター部材２０との２部品から構成されており、アジャスター部材２０はベース部材１１に抜脱可能に挿入されて組み付けられ、またベース部材１１は水中マスク３０のレンズフレーム３１の側部に着脱可能に装着されている。
【００１３】
図２〜図４は、ベース部材１１にアジャスター部材２０が組み付けられてなるバックル１０を示している。図２〜図４において、図２はバックル１０を示す平面図、図３は図２のＡ−Ａ線でバックル１０を切断して示す断面図であって、水中マスク３０のレンズフレーム３１及びストラップ３５を仮想線で示してバックル１０をレンズフレーム３１に取り付けて使用する状態も示している。図４は図２に示されるバックル１０の底面図である。
【００１４】
また、図５はベース部材１１を示す平面図、図６は図５のＣ−Ｃ線で切断してベース部材１１を示す断面図である。更に、図７〜図９はアジャスター部材２０を示している。図７〜図９において、図７はアジャスター部材２０の平面図、図８は図７のＤ−Ｄ線で切断してアジャスター部材２０を示す断面図、図９は図７に示されるアジャスター部材２０の底面図である。
【００１５】
図１、図５及び図６に示されるように、このバックル１０を構成するベース部材１１は、ストラップ３５の幅寸法より僅かに大きな間隔をあけて対向し、アジャスター部材２０を収容する空間部１２を形成するように表面を相互に対向させかつ平行に配置された２つの側板１３ａ、１３ｂを備えている。今、バックル１０の一端側（図２〜図４で見て左側端）を前部、他端側を後部とすると、ベース部材１１は、前部から前後部間の中間部付近まで側板１３ａ、１３ｂを跨いで配置された板状部１４を備えている。
【００１６】
ベース部材１１には、その後部側に、両側板１３ａ、１３ｂと板状部１４とで画成される空間部１２へ出入り可能な開放口１５が形成されている。この開放口１５には、これを横断、即ちバックル１０の前後方向に直交する方向にストラップ支持用の軸部１６が配置され、その両端部が両側板１３ａ、１３ｂの対向面に固定されている。
【００１７】
一方、アジャスター部材２０は、図７〜図９に示されるように取付け部２１を有し、この取付け部２１は、アジャスター部材２０がベース部材１１に組み付けられているとき、ベース部材１１の板状部１４上に配置される板状の第１挟持部２１ａと、バックル１０の前後方向に直交する方向を幅方向とすると、この第１挟持部２１ａよりもその幅方向寸法が小さく、かつこの第１挟持部２１ａの後部から板状部１４の内面（空間部１２に向いている面）に沿って前部方向へ互いに平行に延出する２つの第２挟持部２１ｂとを備えている。すなわち、２つの第２挟持部２１ｂは、第１挟持部２１ａに離間平行した状態でかつ該第１挟持部２１ａの幅方向両側に位置するように、第１挟持部２１ａの後部から前部に向かって延出して設けられている。これら第１挟持部２１ａと第２挟持部２１ｂとの間が挟持溝部２１ｃとなっている。
【００１８】
従って、アジャスター部材２０をベース部材１１に対してその開放口１５から、第１挟持部２１ａを板状部１４上にスライドさせるようにして板状部１４を挟持溝部２１ｃに挿入し、第１挟持部２１ａと第２挟持部２１ｂとで板状部１４を挟み込むことでアジャスター部材２０がベース部材１１に組み付けられる。その際、アジャスター部材２０がベース部材１１に対して所定の位置に組み付けられると、第１挟持部２１ａの前部に形成された突起２２がベース部材１１の板状部１４に形成された凹部１７（図３、図５及び図６参照）に嵌合することによりベース部材１１からのアジャスター部材２０の抜け落ちが防止されている。
【００１９】
更に、アジャスター部材２０は、２つの第２挟持部２１ｂそれぞれの前部につながる湾曲した部位２１ｄを伴って軸部１６方向へ延出し、ベース部材１１の空間部１２の開放口１５に至るバネ部２１ｅを備えている。この２つのバネ部２１ｅの後部端は、横Ｌ字形の係止解除部２３における基部２３ｂに一体的に接続されており、この係止解除部２３の把持部２３ａは空間部１２の開放口１５近傍に位置している。バネ部２１ｅの後部端に接続されている係止解除部２３の基部２３ｂにおける後部側には、尖端部２４ａを備える係止部２４が形成されている。
【００２０】
アジャスター部材２０がベース部材１１に組み付けられているとき、アジャスター部材２０のバネ部２１ｅは、図１１の動作説明図に示されるように矢印３６方向に弾性変形した状態にあり、係止部２４の尖端部２４ａが軸部１６に掛け回されているストラップ３５に圧接している。更に詳細には、ストラップ３５がベース部材１１の開放口１５を通り、軸部１６に掛け回されたとき、ストラップ３５の厚みによって係止部２４が矢印３６方向へ押し上げられ、湾曲した部位２１ｄを含むバネ部２１ｅが弾性変形し、その結果として尖端部２４ａがストラップ３５の内面に圧接する。このバックル１０では、尖端部２４ａがストラップ３５の表面に圧接した状態にあるとき、アジャスター部材２０をベース部材１１の開放口１５から後方へ抜け落ちることがない。
【００２１】
このバックル１０では、ベース部材１１が水中マスク３０のレンズフレーム３１における両側部に着脱可能とされている。そのための構成として、ベース部材１１における空間部１２には、図５及び図６に示されるように嵌合用の受け部１８が配置されている。具体的には、板状部１４の内面のほぼ中央部に、ベース部材１１の前後方向に延びる２つの離間平行な壁部１８ａ、１８ｂが板状部１４の内面に対してほぼ直角に立設され、これら両壁部１８ａ、１８ｂが嵌入室１８ｃを画成している。
【００２２】
壁部１８ａ、１８ｂにおける板状部１４とは反対側の縁部それぞれから、係止板１８ｄが嵌入室１８ｃの下方側を部分的に塞ぐように延びており、２つの係止板１８ｄの間には前後方向に延びる溝部１８ｆが形成されている。この嵌入室１８ｃの前部には端板１８ｅが配置されている。溝部１８ｆはベース部材１１の後部側から端板１８ｅにまで延びている。ベース部材１１が取り付けられる水中マスク３０のレンズフレーム３１における両側部には、図３及び図１０に示されるようにＴ字形の突起部３２が設けられている。
【００２３】
このベース部材１１を水中マスク３０のレンズフレーム３１における両側部に装着する場合には、ベース部材１１の溝部１８ｆにレンズフレーム３１における各突起部３２を挿入する。その後、ベース部材１１を水中マスク３０の後方へスライドさせて、嵌入室１８ｃにおける後部側の開口から突起部３２を端板１８ｅにぶつかるまで差し込み、突起部３２の頭部両側を係止板１８ｄと重合させてレンズフレーム３１の表面に係止する。
【００２４】
このようにしてベース部材１１が水中マスク３０のレンズフレーム３１に対して装着されると、板状部１４の前部下面に形成された突起１９（図５及び図６参照）がレンズフレーム３１に形成された凹部３３（図３及び図１０参照）に嵌合するので、レンズフレーム３１に対してベース部材１１は不必要に動くことがない。ベース部材１１を水中マスク３０のレンズフレーム３１から外す場合には、板状部１４の突起１９をレンズフレーム３１の凹部３３から外しながらベース部材１１をレンズフレーム３１に対して図３に矢印３４で示されるように前方にスライドさせればよい。
【００２５】
このように、ベース部材１１における空間部１２の中央部に水中マスク３０のレンズフレーム３１への装着用に壁部１８ａ、１８ｂを形成して嵌入室１８ｃを設けると、図４及び図５に示されるように各壁部１８ａ、１８ｂと側板１３ａ、１３ｂとの間に溝２５ができる。この溝２５は、ベース部材１１にアジャスター部材２０を組み付ける際に第２挟持部２１ｂ及びバネ部２１ｅが納まる溝となる。すなわち、アジャスター部材２０をベース部材１１に組み付ける際に、各壁部１８ａ、１８ｂの外側面と側板１３ａ、１３ｂの側面とがガイド面となって第２挟持部２１ｂ及びバネ部２１ｅがスムーズにベース部材１１の空間部１２前方へ進入することになる。
【００２６】
このように、このバックル１０では、アジャスター部材２０をベース部材１１の開放口１５から空間部１２に差し込み、アジャスター部材２０の第１挟持部２１ａと第２挟持部２１ｂとの間の挟持溝部２１ｃに板状部１４を挿入してこれを挟持させるだけで、アジャスター部材２０をベース部材１１に取り付けることができる。そして、係止部２４がストラップ３５に圧接することでアジャスター部材２０のバネ部２１ｅが撓み、その反発力で係止部２４の尖端部２４ａがストラップ３５の内面に所定の間隔で設けられている突起部３５ａに係止してストラップの緩み方向への動きを抑える。
【００２７】
ベース部材１１の軸部１６に掛け回されているストラップ３５を緩める場合には、図１１に示されるようにアジャスター部材２０における係止解除部２３の把持部２３ａに指を掛けて矢印３６方向へ偏位させることによりバネ部２１ｅを強制的に更に撓ませ、図１１に仮想線で示されるように係止部２４の尖端部２４ａをストラップ３５表面の突起部３５ａから離してストラップ３５の緩み方向への移動制限を解除する。
【００２８】
このようにこのバックル１０によると、従来のように軸部を支点としたアジャスター部材の旋回によって係止部をストラップの表面に圧接させるのではなく、アジャスター部材をベース部材に対してスライドさせるだけで装着することができ、しかもアジャスター部材が弾性変形することで係止部をストラップの内面に圧接させることから、バックル１０の組み付け作業が非常に容易になると共に組み付け時にバックルに損傷を与えることがない。
【００２９】
更に、このバックル１０によると、アジャスター部材２０の幅方向両側部にベース部材１１の一部である板状部１４を挟持する幅狭な第２挟持部を１つずつ形成し、それぞれの第２挟持部２１ｂをベース部材１１の空間部内の両側に配置し、第２挟持部２１ｂどうしの間であるベース部材１１の中央部に、レンズフレーム３１に対してベース部材１１を着脱させるための受け部１８を形成したから、バックル１０を複雑な構造にすることなくレンズフレーム３１に対して着脱することができる。
【００３０】
また、バックル１０を構成しているベース部材１１及びアジャスター部材２０の２部品は、それぞれ合成樹脂材料で形成することが好ましい。その際、アジャスター部材２０における湾曲した部位２１ｄを含むバネ部２１ｅは、バネ性を持たせることができる厚さで形成される。更に、ベース部材１１やアジャスター部材２０は金属で形成してもよい。
【００３１】
なお、前述した実施形態の水中マスクでは、バックルのベース部材がレンズフレームに対して着脱可能にされていたが、ベース部材がレンズフレームに一体的に設けられている水中マスクでこの発明を実施することも可能である。
【００３２】
【発明の効果】
本発明の水中マスクによれば、レンズフレームの側部にヘッドストラップを長さ調節可能に取り付けるバックルが、アジャスター部材をベース部材の開放口から空間部に挿入するだけでベース部材に取り付けることができるため、従来のような旋回支点となる軸部が組み立て作業の邪魔になることがない。また、従来のようにアジャスター部材を無理に変形させてベース部材に装着することがないので、ベース部材やアジャスター部材に損傷を与えることがない。
【図面の簡単な説明】
【図１】本発明の一実施形態に係る水中マスクを示す斜視図である。
【図２】図１に示される水中マスクに使用されるバックルを示す平面図である。
【図３】図２のバックルをＡ−Ａ線で切断して示す断面図である。
【図４】図２に示されるバックルの底面図である。
【図５】図２のバックルを構成するベース部材を示す平面図である。
【図６】図５のベース部材をＣ−Ｃ線で切断して示す断面図である。
【図７】図２のバックルを構成するアジャスター部材の平面図である。
【図８】図７のアジャスター部材をＤ−Ｄ線で切断して示す断面図である。
【図９】図７のアジャスター部材の底面図である。
【図１０】本発明の水中マスクにおけるレンズフレームの側部を示す部分的な側面図である。
【図１１】図２のＢ−Ｂ線で切断して示すバックルを水中マスクのレンズフレームに取り付けてストラップの長さ調整を行っている動作説明図である。
【符号の説明】
１０  バックル
１１  ベース部材
１２  空間部
１３ａ、１３ｂ  側板
１４  板状部
１５  開放口
１６  軸部
１８  嵌合用の受け部
１８ａ  壁部（外壁面）
１８ｂ  壁部（外壁面）
２０  アジャスター部材
２１  取付け部
２１ａ  第１挟持部
２１ｂ  第２挟持部
２１ｃ  挟持溝部
２１ｄ  湾曲した部位
２１ｅ  バネ部
２３  係止解除部
２３ａ  把持部
２４  係止部
２４ａ  尖端部
２５  溝（収容する溝）
３０  水中マスク
３１  レンズフレーム
３２  突起部
３５  ストラップ
【図１】
0003878502.tif 000002
【図２】
0003878502.tif 000003
【図３】
0003878502.tif 000004
【図４】
0003878502.tif 000005
【図５】
0003878502.tif 000006
【図６】
0003878502.tif 000007
【図７】
0003878502.tif 000008
【図８】
0003878502.tif 000009
【図９】
0003878502.tif 000010
【図１０】
0003878502.tif 000011
【図１１】
0003878502.tif 000012